(57)【要約】【課題】前面のタッチパネルを操作することにより機器に組込まれた状態でも表示装置の調整ができる組込み用タッチパネル表示装置を提供する。【解決手段】組込み用タッチパネル表示装置は、タッチパネルを備えた組込み用タッチパネル表示装置において、上記タッチパネルの所定の位置を所定の手順でタッチ操作したことを検知してオンスクリーン・ディスプレイのメニュー画面を表示装置に表示するとともに、上記タッチパネルへのタッチ操作により上記メニュー画面に従って調整する。【選択図】図１
2009295092.tif 000002
【特許請求の範囲】
【請求項１】
タッチパネルを備えた組込み用タッチパネル表示装置において、
上記タッチパネルの所定の位置を所定の手順でタッチ操作したことを検知してオンスクリーン・ディスプレイのメニュー画面を表示装置に表示するとともに、上記タッチパネルへのタッチ操作により上記メニュー画面に従って調整することを特徴とする組込み用タッチパネル表示装置。
【請求項２】
上記メニュー画面が表示されているときにはホストへの上記タッチパネルからの位置情報の送信を停止することを特徴とする請求項１に記載の組込み用タッチパネル表示装置。
【請求項３】
アップ、ダウン、選択、メニューがそれぞれ割り当てられた４つの領域に分割された上記タッチパネルにタッチ操作することにより表示状態を調整することを特徴とする請求項１に記載の組込み用タッチパネル表示装置。
【請求項４】
上記タッチパネルの所定の位置を所定の手順でタッチ操作したとき表示装置に手順通りにタッチ操作していることを示す文字またはアイコンを表示することを特徴とする請求項１に記載の組込み用タッチパネル表示装置。
【発明の詳細な説明】
【技術分野】
【０００１】
この発明は、産業機器、情報端末、POS端末、自販機などの機器に組み込まれる組込み用タッチパネル表示装置に関する。
【背景技術】
【０００２】
従来、産業用機器、情報端末、ＰＯＳ、自動販売機などの機器に組み込まれる組込み用タッチパネル表示装置では、表示装置のスイッチおよび調整用ボタンは表示装置前面には配置せず表示装置の背面に設置していた（例えば、特許文献１参照）。
【０００３】
【特許文献１】特開２０００−２４２４３２号公報
【発明の開示】
【発明が解決しようとする課題】
【０００４】
しかし、このような組込み用タッチパネル表示装置では機器に組込まれた状態での表示装置の調整が不可能で機器を設置した後の表示装置の調整には組込んだ機器本体の解体が必要であった。
【０００５】
この発明の目的は、前面のタッチパネルを操作することにより機器に組込まれた状態でも表示装置の調整ができる組込み用タッチパネル表示装置を提供することである。
【課題を解決するための手段】
【０００６】
この発明に係る組込み用タッチパネル表示装置は、タッチパネルを備えた組込み用タッチパネル表示装置において、上記タッチパネルの所定の位置を所定の手順でタッチ操作したことを検知してオンスクリーン・ディスプレイのメニュー画面を表示装置に表示するとともに、上記タッチパネルへのタッチ操作により上記メニュー画面に従って調整する。
【発明の効果】
【０００７】
この発明に係る組込み用タッチパネル表示装置は、ホストコンピュータを制御するときのメニュー画面が殆ど表示されない複数の箇所を所定の順番でタッチ操作したとき、オンスクリーン・ディスプレイに切り替えることができるので、組込み用タッチパネル表示装置を機器に組み込んだまま表示装置の調整、メンテナンスを行うことができるという効果を奏する。
また、オンスクリーン・ディスプレイに切り替えるためのスイッチが不要となり、悪戯されることが無く、且つコストを低減することができるという効果を奏する。
【発明を実施するための最良の形態】
【０００８】
図１は、この発明に係る組込み用タッチパネル表示装置を組込んだ機器の一例である。
この発明に係る組込み用タッチパネル表示装置１は、例えば産業用機器、情報端末、ＰＯＳ、自動販売機などの機器２に組み込まれるとともに、機器を制御するホストコンピュータ３から送られてくる映像信号を映像として出力する映像信号出力装置およびホストコンピュータへの入力装置として機能するものである。
そして、この発明に係る組込み用タッチパネル表示装置１は、映像が表示される例えば液晶パネル４、ホストコンピュータ３からの映像信号に基づいて液晶パネル４を駆動する液晶ドライバー５、液晶パネル４の前面に配置され且つ接触されたとき信号を発するタッチパネル６、タッチパネル６から出力される信号から位置情報を求めてホストコンピュータ３に送るタッチセンサコントローラ７、および、オンスクリーン・ディスプレイコントローラ８を備える。
【０００９】
タッチセンサコントローラ７は、タッチパネル６が複数の所定の位置を所定の順序でタッチ操作されたとき、オンスクリーン・ディスプレイコントローラ８を起動する。そして、タッチパネル６の複数の所定の位置は、ホストコンピュータ３を操作するための信号を入力するときには殆どタッチ操作される位置ではなく、図２に示すように、タッチパネル６の４隅が一般的である。また、所定の順序でタッチ操作することにより、液晶パネル４の表示状態を調整するためにオンスクリーン・ディスプレイコントローラ８を起動するためのタッチ操作である。
【００１０】
この発明に係る組込み用タッチパネル表示装置１では、図２に示すように、タッチパネル上の所定の箇所Ａ、Ｂ、Ｃを所定の順序（Ａ、Ｂ、Ａ、Ｃ）の順序でタッチ操作されたとき、タッチセンサコントローラ７はオンスクリーン・ディスプレイコントローラ８を起動する。これ以降では、タッチパネル６へのタッチ操作の内容はホストコンピュータ３には送らずに、オンスクリーン・ディスプレイコントローラ８に送る。
なお、上述ではタッチパネル６の３隅を所定の位置として用いたが、機器本来の操作に影響が無ければタッチパネル６の位置、大きさ、数量について適宜配置すれば良い。また、順序に関しても機器本来の操作に影響が無ければ適宜設定すれば良い。
【００１１】
タッチセンサコントローラ７は、タッチパネル６が複数の所定の位置を所定の順序でタッチ操作されたことを検知すると、オンスクリーン・ディスプレイコントローラ８を起動するとともに、以降、タッチパネル６から出力される信号から求めた位置情報をオンスクリーン・ディスプレイコントローラ８に送りホストコンピュータ３には送らない。
【００１２】
オンスクリーン・ディスプレイコントローラ８は、起動されると、図３に示すように、液晶パネル４の中央部に（ＤＩＳＰＬＡＹ  ＡＤＪＵＳＴＭＥＮＴ）のメニュー画面を表示される。そして、ＭＥＮＵ信号が入力される度に順に（ＷＨＩＴＥ  ＢＡＬＡＮＣＥ）、（ＣＯＬＯＲ  ＡＤＪＵＳＴＭＥＮＴ）、（ＭＩＳＣ）メニュー画面が表示され、次に、ＭＥＮＵ信号が入力されると、オンスクリーン・ディスプレイコントローラ８を停止する。すなわち、タッチパネル６から出力される信号から求めた位置情報をホストコンピュータ３に送りオンスクリーン・ディスプレイコントローラ８には送らない。
【００１３】
オンスクリーン・ディスプレイコントローラ８が駆動しているときには、タッチパネル６の左右および上下の４つの領域がダウン（ＤＯＷＮ）、アップ（ＵＰ）、メニュー（ＭＥＮＵ）、選択（ＳＥＬＥＣＴ）に割り当てられている。なお、図３に図示した点線は実際には液晶パネル４には表示していないが、調整者には感覚的にキーを認識できる。
このようにメニュー画面が表示されているとき、タッチパネル６の該当する位置にタッチ操作すると、タッチセンサコントローラ７はその位置情報を求めてオンスクリーン・ディスプレイコントローラ８に送る。オンスクリーン・ディスプレイコントローラ８は、この位置情報からＤＯＷＮ、ＵＰ、ＭＥＮＵ、ＳＥＬＥＣＴのいずれが選択されたか判断し、それに基づいて液晶パネル４の表示状態を変更する。
【００１４】
なお、上述の例でタッチパネル６の箇所Ａに最初にタッチ操作するとき、特に箇所Ａに最初にタッチ操作したことを明確にするために箇所Ａに所定の時間以上に亘ってタッチ操作するときだけ箇所Ａにタッチ操作したと判断するようにしても良い。
また、調整者がこの手順が手順どおりなされているか認識できるように表示スクリーンの隅に文字やアイコンを表示し調整者にはわかりやすくしても良い。
また、音声により認識できるようにしても良い。
【００１５】
この発明に係る組込み用タッチパネル表示装置は、ホストコンピュータを制御するときのメニュー画面が殆ど表示されない複数の箇所を所定の順番でタッチ操作したとき、オンスクリーン・ディスプレイに切り替えることができるので、組込み用タッチパネル表示装置を機器に組み込んだまま表示装置の調整、メンテナンスを行うことができる。
また、オンスクリーン・ディスプレイに切り替えるためのスイッチが不要となり、悪戯されることが無く、且つコストを低減することができる。
【図面の簡単な説明】
【００１６】
【図１】この発明に係る組込み用タッチパネル表示装置が組み込まれた機器の概略図である。
【図２】オンスクリーン・ディスプレイに切り替えるためにタッチ操作するタッチパネルの箇所である。
【図３】オンスクリーン・ディスプレイでの１つのメニュー画面である。
【符号の説明】
【００１７】
１  組込み用タッチパネル表示装置、２  機器、３  ホストコンピュータ、４  液晶パネル、５  液晶ドライバー、６  タッチパネル、７  タッチセンサコントローラ、８  オンスクリーン・ディスプレイコントローラ。
【図１】
2009295092.tif 000003
【図２】
2009295092.tif 000004
【図３】
2009295092.tif 000005